(57)【要約】【課題】天板を前後２点で支持し、支持強度を高める。【解決手段】左右の脚体２における天板８の枢軸よりも下方に、斜め前上方を向く支持アーム２８の下端を、前後方向に回動可能に枢着するとともに、該支持アーム２８の上端部を、前記枢軸の前方においてブラケット７に設けたガイド孔３０に前後方向に移動可能に係合し、かつ前記天板８を水平の使用位置としたとき、前記支持アーム２８の上端部の前方への移動がガイド孔３０により制限されるとともに、支持アーム２８の上端が天板８の下面と当接してこれを支持するようにする。【選択図】        図１
2004159706.tif 000002
【特許請求の範囲】
【請求項１】
天板の両側部下面に設けた前後方向を向く左右１対のブラケットを、それぞれ左右の脚体の上端部に枢着することにより、前記天板を、水平の使用位置と、脚体の後側において起立する折り畳み位置との間を回動しうるようにした折り畳みテーブルにおいて、
前記左右の脚体における天板の枢軸よりも下方に、斜め前上方を向く支持アームの下端を、前後方向に回動可能に枢着するとともに、該支持アームの上端部を、前記枢軸の前方において前記ブラケットに設けたガイド手段に前後方向に移動可能に係合し、かつ前記天板を水平の使用位置としたとき、前記支持アームの上端部の前方への移動がガイド手段により制限されるとともに、支持アームの上端が天板の下面と当接してこれを支持するようにしたことを特徴とする折り畳みテーブル。
【請求項２】
ガイド手段を、ブラケットの下向片に形成された前後方向を向く長孔と、その前端と連続する上向きの長孔とからなる側面視ほぼＬ字状のガイド孔とし、天板を水平の使用位置としたとき、上向きの長孔に、支持アームの上端に突設した左右方向を向くピンが進入して、支持アームの上端が天板の下面と当接するようにしてなる請求項１記載の折り畳みテーブル。
【請求項３】
ブラケットに、操作レバーに連係され、かつ天板の使用位置においてガイド孔の上向きの長孔に進入した支持アームのピンの直下に位置することにより、該ピンの下方への移動を阻止するとともに、操作レバーの操作により、前記ピンの下方への移動を許容するようにしたロック手段を設けた請求項２記載の折り畳みテーブル。
【請求項４】
ロック手段が、上端面が前後いずれかの方向に傾斜する傾斜面をなし、前後方向に移動することにより、前記傾斜面が支持アームのピンの下端と係脱しうるようにしたストッパ部材と、該ストッパ部材を、前記ピンの上向きの長孔内における下方への移動を阻止する方向に常時付勢する付勢手段とを備えるものである請求項３記載の折り畳みテーブル。
【請求項５】
ブラケットの後端部に、操作レバーに連係され、天板を折り畳み位置に起立したとき、脚体に設けた係合部と係合して、天板の水平位置方向への回動を阻止し、操作レバーの操作により前記係合部より離脱しうるようにした係止部材を設けた請求項１〜４のいずれかに記載の折り畳みテーブル。
【発明の詳細な説明】
【０００１】
【発明の属する技術分野】
本発明は、脚体の上端に設けた天板を、水平の使用位置と、脚体の後側において起立する折り畳み位置との間を回動しうるようにした折り畳みテーブルに関する。
【０００２】
【従来の技術】
この種の従来の折り畳みテーブルとしては、天板を、その下面に設けたブラケットを介して脚柱の上端に回動可能に枢着するとともに、脚柱の上端部内側面に、ブラケットに設けた係止ピンと係脱可能な係止溝を前後に有する支持片を設け、操作レバーに連係された係止ピン移動部材を前後又は上下方向に移動させ、係止ピンを係止溝と係脱することにより、天板を、水平の使用位置と、脚柱の後側において起立する折り畳み位置との間を回動しうるようにしたものがある（例えば特許文献１参照）。
【０００３】
また、脚柱の上端に回動可能に枢着した天板を、ロック手段により、水平の使用位置と、ほぼ垂直に起立する折り畳み位置とに保持しうるようにしたものもある（例えば特許文献２、３参照）。
【０００４】
【特許文献１】
特開２００２−１３６３４３号公報
【特許文献２】
実公昭５６−５４８０３号公報
【特許文献３】
実公平１−１６４１９号公報
【０００５】
【発明が解決しようとする課題】
上述した各特許文献に記載されている折り畳みテーブルは、いずれも、天板は、脚柱の上端に１点で支持されているため、天板の支持強度が小さく、水平の使用位置において、天板に下向きの大きな力が加わると、その力は、水平に係止保持している係止ピンや係止溝、ロック手段の係止ピン等にも直接加わり、長期間使用すると、係止ピンや係止溝が摩耗し、がたが発生する恐れがある。
【０００６】
本発明は、上記問題に鑑みてなされたもので、天板の下面を、脚体への枢着部から離間した前方においても支持し、天板全体を２点で支持することにより、天板の支持強度を高め、かつ係止ピンや係止溝等の摩耗を防止しうるようにした、折り畳みテーブルを提供することを目的としている。
【０００７】
【課題を解決するための手段】
本発明によると、上記課題は、次のようにして解決される。
（１）  天板の両側部下面に設けた前後方向を向く左右１対のブラケットを、それぞれ左右の脚体の上端部に枢着することにより、前記天板を、水平の使用位置と、脚体の後側において起立する折り畳み位置との間を回動しうるようにした折り畳みテーブルにおいて、前記左右の脚体における天板の枢軸よりも下方に、斜め前上方を向く支持アームの下端を、前後方向に回動可能に枢着するとともに、該支持アームの上端部を、前記枢軸の前方において前記ブラケットに設けたガイド手段に前後方向に移動可能に係合し、かつ前記天板を水平の使用位置としたとき、前記支持アームの上端部の前方への移動がガイド手段により制限されるとともに、支持アームの上端が天板の下面と当接してこれを支持するようにする。
【０００８】
（２）  上記（１）項において、ガイド手段を、ブラケットの下向片に形成された前後方向を向く長孔と、その前端と連続する上向きの長孔とからなる側面視ほぼＬ字状のガイド孔とし、天板を水平の使用位置としたとき、上向きの長孔に、支持アームの上端に突設した左右方向を向くピンが進入して、支持アームの上端が天板の下面と当接するようにする。
【０００９】
（３）  上記（２）項において、ブラケットに、操作レバーに連係され、かつ天板の使用位置においてガイド孔の上向きの長孔に進入した支持アームのピンの直下に位置することにより、該ピンの下方への移動を阻止するとともに、操作レバーの操作により、前記ピンの下方への移動を許容するようにしたロック手段を設ける。
【００１０】
（４）  上記（３）項において、ロック手段が、上端面が前後いずれかの方向に傾斜する傾斜面をなし、前後方向に移動することにより、前記傾斜面が支持アームのピンの下端と係脱しうるようにしたストッパ部材と、該ストッパ部材を、前記ピンの下方への移動を阻止する方向に常時付勢する付勢手段とを備えるものとする。
【００１１】
（５）  上記（１）〜（４）項のいずれかにおいて、ブラケットの後端部に、操作レバーに連係され、天板を折り畳み位置に起立したとき、脚体に設けた係合部と係合して、天板の水平位置方向への回動を阻止し、操作レバーの操作により前記係合部より離脱しうるようにした係止部材を設ける。
【００１２】
【発明の実施の形態】
以下、本発明の実施形態を、図面に基づいて説明する。
図１は、本発明の折り畳みテーブルの側面図、図２は、図１のＩＩ−ＩＩ線の拡大横断平面図、図３は、同じくＩＩＩ−ＩＩＩ線の拡大横断平面図である。
【００１３】
折り畳みテーブル（１）の左右１対の脚体（２）（２）は、前方（以下、図１の右方を前として説明する）に若干傾斜する上下方向を向くパイプ状の後脚（２ａ）と、その外側面の上半部に、上端部を若干上方に突出するように固着された、ほぼくの字形をなすパイプ状の前脚（２ｂ）とからなり、それらの下端には、キャスタ（３）が取付けられている。
【００１４】
なお、上記後脚（２ａ）と、それに固着された前脚（２ｂ）の起立部とにより、テーブルの脚柱を構成している。
【００１５】
左右の前脚（２ａ）の対向面の上端部には、平面視外向きコ字状の取付金具（４）が固着され、その内側面に固着された斜め上下方向を向く支持片（５）（５）の対向面間に、連結杆（６）の側端を固着することにより、両脚体（２）は連結されている。
【００１６】
（７）は、天板（８）の下面の左右両側部を支持する左右１対のブラケットで、次のような構成となっている。なお、左右のブラケット（７）は同一構成で、左右対称形をなしているため、以下の説明は、右方のものについてのみ行う。
【００１７】
図４に示すように、ブラケット（７）は、前端縁と外方の側端縁に、連続する上向片（９ａ）を有する平板状の下部ブラケット（９）と、その上面に載置されてねじ（１０）により固定される、下部ブラケット（９）よりも長寸の正面視下向きコ字状をなす上部ブラケット（１１）とからなり、左右の上部ブラケット（１１）の対向面の前後部には、前後１対の横杆（１２）（１２）が結合されている。
【００１８】
上部ブラケット（１１）は、天板（８）の両側部下面にねじにより固定されている。下部ブラケット（９）における上向片（９ａ）の後端部には、下向半円形の凹溝（１３）が形成され、この凹溝（１３）は、上記前脚（２ｂ）の上端部に圧嵌された支持部材（１４）の上端部の支持部（１４ａ）に、上方より前後に回動可能に嵌合されている。（図１参照）。
【００１９】
上記支持片（５）の上端部は、上部ブラケット（１１）内において、その内方の下向片（１１ａ）の後端部に、かつ上記支持部（１４ａ）は、外方の下向片（１１ａ）の外側面に、ブラケット（１１）を貫通するピン（１５）により回動可能に枢着されている。
【００２０】
上下のブラケット（９）（１１）間の空間部には、天板（８）を水平の使用位置と、脚体（２）の後方において起立する折り畳み位置に保持するためのロック手段（１６）が収容されている。
【００２１】
ロック手段（１６）は、下部ブラケット（９）の上面に、前後方向に移動可能に載置された前後方向を向く作動部材（１７）と、その前端部に下方よりねじ止めされた、上端部が後ろ下方に向かって傾斜する傾斜面（１８ａ）となっている正面視上向きコ字状のストッパ部材（１８）と、作動部材（１７）の前端部の係止溝に後端が掛止されたワイヤ（１９）と、左右１対の操作レバー（２０）同士を連結している左右方向を向く回動ロッド（２１）に、上下のブラケット（９）（１１）間において回動しうるように軸着され、上記ワイヤ（１９）の前端が掛止された操作駒（２２）とを備えている。
【００２２】
作動部材（１７）におけるストッパ部材（１８）の後方の上面と外側面は、それぞれ下方と内方に向かって凹ませてあり、その凹部（２３）には、後記する支持アーム（２８）と、その上端部のロックピン（２９）が入り込めるようになっている。
【００２３】
作動部材（１７）の後端に突設された左右１対の後向片（１７ａ）（１７ａ）の軸孔（２４）には、段付係止ピン（２５）が、その左右の小径軸（２５ａ）を突出させて嵌合されており、左右の小径軸（２５ａ）は、上部ブラケット（１１）における左右の下向片（１１ａ）の後端部に形成した前後方向を向く長孔（２６）に、前後方向に摺動可能に嵌合されている。
【００２４】
段付係止ピン（２５）は、そのほぼ中央部に形成した環状溝（２５ｂ）に前端が、かつ後端が、上部ブラケット（１１）の内方の下向片（１１ａ）の後端の切欠溝（図示略）にそれぞれ掛止された引張りばね（２７）により、常時後方に向かって付勢されており、図１に示すように、操作レバー（２０）の非操作時においては、長孔（２６）の後端に位置している。
【００２５】
上記支持片（５）の上端部の外側面には、支持アーム（２８）の下端が、斜め前上方を向いて前後方向に回動可能に枢着され、その上端部は、下部ブラケット（９）の外側方寄りの後端部に形成したスリット状の切欠溝（９ｂ）を挿通するとともに、作動部材（１７）における凹部（２３）の後方下部に形成した上向きスリット状の逃げ溝（１７ｂ）に嵌合されて、作動部材（１７）の凹部（２３）内に位置している（図１、図３及び図４参照）。
【００２６】
支持アーム（２８）の上端部は、上向きに若干折曲され、その水平をなす上端面は、上部ブラケット（１１）の下面と当接してこれを受支するようになっている。
【００２７】
支持アーム（２８）の上端部には、左右方向を向くストッパピン（２９）が、ストッパ部材（１８）の両傾斜面（１８ａ）の後端部に載置しうるように、内方側への突出寸法を大として貫通、固着されている。
【００２８】
ストッパピン（２９）の両端部は、上部ブラケット（１１）の両下向片（１１ａ）に形成された、前後方向を向く水平長孔部（３０ａ）と、その前端と連続する垂直長孔部（３０ｂ）とからなる側面視ほぼＬ字形（外方のものは逆Ｌ字形）をなすガイド孔（３０）に、摺動自在に嵌合されている。
【００２９】
図１に示すように、天板（８）が水平の使用位置にあり、かつ操作レバー（２０）の非操作時において、上記ストッパピン（２９）は、ガイド孔（３０）の垂直長孔部（３０ｂ）内に、その上端と近接又は当接するように位置するとともに、下部がストッパ部材（１８）の傾斜面（１８ａ）の後端部と当接することにより、支持アーム（２８）は上向きに押圧されて、その上端面が上部ブラケット（１１）の下面と当接し、これを支持するようになっている。
【００３０】
天板（８）の後端部の左右両側部下面にねじ止めされた後向きフック状の１対の支持金具（３１）の遊端には、幕板（３２）の上端部前面の左右両側部が、回動可能に枢着されている。
【００３１】
幕板（３２）の下端部前面の左右両側部は、図２に示すように、下端が支持片（５）の内側面の下端部に枢着されたリンク片（３３）の上端に、回動可能に枢着されている。
【００３２】
幕板（３２）の前面の上端部には、図２，図５及び図６に示すように、天板（８）を折り畳み位置まで回動した際に、上記連結杆（６）のほぼ後半部が嵌合される大きさの凹部（３４）が、左右方向に、上記支持金具（３１）の枢着部付近まで形成されている。
【００３３】
また、幕板（３２）の前面の左右両側部には、図２及び図５に示すように、脚体（２）における脚柱の左右寸法より若干大きい溝幅の上下方向を向く凹部（３５）が、上記凹部（３４）の側端と連続するようにして、幕板（３２）の上下の端面まで形成されている。
【００３４】
凹部（３５）には、天板（８）を折り畳んだ際に、脚体（２）すなわち後脚（２ａ）と前脚（２ｂ）の上向き脚柱部の後端部が嵌合されるようになっている。
【００３５】
上記支持金具（３１）の遊端部とリンク片（３３）の上端は、凹部（３５）において、その内方側の内面に枢着されている（図２参照）。
【００３６】
次に、図７〜図９の概略側面図を参照して、上記実施形態の折り畳みテーブル（１）の操作要領について説明する。
【００３７】
図７に示す使用状態において、操作レバー（２０）を上向きに回動操作すると、それにワイヤ（１９）を介して連係されている作動部材（１７）が、引張りばね（２７）に抗してストッパ部材（１８）と共に前方に移動させられる。
【００３８】
これにより、支持アーム（２８）の上端のストッパピン（２９）は、ストッパ部材（１８）の後端より外れてロック状態が解除され、上部ブラケット（１１）のガイド孔（３０）の重直長孔部（３０ｂ）を下方に移動可能となる。
【００３９】
従って、図８に示すように、天板（８）は、脚体（２）の上端を支点として上向きに回動することができ、かつストッパピン（２９）がガイド孔（３０）の水平長孔部（３０ａ）側に移動したときに、操作レバー（２０）から手を離す。
【００４０】
この状態のまま、天板（８）を、図９に示すように、脚体（２）の上向き脚柱部とほぼ平行をなす位置まで起立させると、引張りばね（２７）により、上部ブラケット（１１）の後端部に形成した長孔（２６）の後端に位置させられていた段付係止ピン（２５）が、支持片（５）の後端上部に形成された、上方が開口する上向きフック状の係合片（３６）の上端の弧状面と摺接することにより、引張りばね（２７）に抗して長孔（２６）内を若干前方（上方）に移動し、係合片（３６）内に自動的に突入して係止される。
【００４１】
これにより、天板（８）は折り畳み位置にロックされる。
【００４２】
天板（８）を使用位置とするには、図９の状態において、操作レバー（２０）を上向きに回動操作して、作動部材（１７）をワイヤ（１９）を介して引き上げ、段付係止ピン（２５）を係合片（３６）より離脱させたのち、操作レバー（２０）から手を離しながら天板（８）を水平位置まで回動させればよい。
【００４３】
天板（８）が水平位置付近まで回動されると、ストッパピン（２９）は、ストッパ部材（１８）を前方に押動しながら、ガイド孔（３０）の垂直長孔部（３０ｂ）内に進入し、その上端付近に達すると、ストッパ部材（１８）が、作動部材（１７）と共に引張りばね（２７）により後方に移動させられ、その上端がストッパピン（２９）の下方に位置することにより、天板（８）は、図１の使用位置にロックされ、かつ脚体（２）の上端と支持アーム（２８）の上端により前後２点で支持される。
【００４４】
図９の折り畳み位置まで天板（８）を回動させた際、幕板（３２）の前面の上部に形成した左右方向を向く凹部（３４）が、図６に示すように、両脚体（２）の連結杆（６）の後半部に嵌合されるとともに、幕板（３２）の前面の両端部に形成した上下方向を向く凹部（３５）が、図１０に示すように、脚体（２）の上向き脚柱部の後端部に嵌合される。
【００４５】
そのため、天板（８）を折り畳む際に、幕板（３２）の前面を連結杆（６）や脚体（２）の後端と干渉させることなく、前方に位置させることができ、天板（８）の脚体（２）に対する前後の折り畳み寸法を小さくすることができる。
【００４６】
このことは、複数の折り畳みテーブルを、天板（８）を起立させて集合し、保管する際において、省スペース化が図れ、小さなスペースに、より多くのテーブルを集合して保管しうる利点がある。
【００４７】
本発明は、上記実施形態に限定されるものではない。
【００４８】
上記実施形態では、ガイド孔（３０）をＬ字状としてあるが、前後方向を向く長孔のみとすることもある。
【００４９】
この際には、天板（８）を使用位置にロックするロック手段は、例えば、ブラケット（７）に、ストッパピン（２９）の後方において下方に移動するストッパ部材を設け、これを、操作レバーにより、ストッパピン（２９）の後端と係脱しうるように上下に移動させるなどすればよい。
【００５０】
下部ブラケット（９）を省略し、ロック手段を構成する各部材や脚体（２）の上端部を、上部ブラケット（１１）に組付けるようにすることもできる。
【００５１】
幕板（３２）の左右寸法を左右の脚体（２）間に挿入しうる大きさとした際には、幕板（３２）の両側部前面に設けた凹部（３５）は不要となることは勿論である。
【００５２】
上部ブラケット（１１）の上面を一部切欠くなどして、支持アーム（２８）の上端を天板（８）の下面に直接当接させることもある。
【００５３】
【発明の効果】
請求項１記載の発明によれば、天板は、脚体の上端部と、その前方において支持アームの上端との前後２点で支持されるので、水平の使用位置での支持強度を高めることができる。
また、天板に加わる荷重が前後の支持部に分散されるため、従来のような１点で支持されているもののように、係止ピンや係止溝等が摩耗することも少なく、耐久性が向上する。
【００５４】
請求項２記載の発明によれば、天板を水平の使用位置とする際、支持アームの上端は、ガイド孔の上向きの長孔に案内されて上方に移動するため、支持アームの上端は天板の下面と真直ぐに当たり、摺動摩耗の生じるのが防止される。
【００５５】
請求項３記載の発明によれば、操作レバーを回動操作するだけで、天板を簡単に水平の使用位置にロックしたり、ロックを解除して上向きに回動可能としたりすることができる。
【００５６】
請求項４記載の発明によれば、ストッパ部材の上端の傾斜面と付勢手段の作用により、ピンは上向きに押圧された状態でロックされるため、天板を水平の使用位置に確実に保持することができる。
【００５７】
請求項５記載の発明によれば、天板を折り畳み位置に確実にロックして保持しうるとともに、操作レバーを操作するだけで、天板を簡単に使用位置方向に回動可能とすることができる。
【図面の簡単な説明】
【図１】本発明の折り畳みテーブルの一部切欠側面図である。
【図２】図１のＩＩ−ＩＩ線の拡大横断平面図である。
【図３】同じく、図１のＩＩＩ−ＩＩＩ線の拡大横断平面図である。
【図４】ブラケットとロック手段との分解斜視図である。
【図５】折り畳みテーブルの右側部の後面図である。
【図６】図５のＶＩ−ＶＩ線の縦断側面図である。
【図７】折り畳みテーブルの操作要領を示し、操作レバーを上向きに回動させた状態の概略側面図である。
【図８】同じく、天板を途中まで上向きに回動させて、操作レバーから手を離した状態の概略側面図である。
【図９】同じく、天板を折り畳み位置まで回動させてロック状態とした概略側面図である。
【図１０】図９のＸ−Ｘ線の拡大横断平面図である。
【符号の説明】
（１）折り畳みテーブル
（２）脚体
（２ａ）後脚
（２ｂ）前脚
（３）キャスタ
（４）取付金具
（５）支持片
（６）連結杆
（７）ブラケット
（８）天板
（９）下部ブラケット
（９ａ）上向片
（９ｂ）切欠溝
（１０）ねじ
（１１）上部ブラケット
（１１ａ）下向片
（１２）横杆
（１３）凹溝
（１４）支持部材
（１４ａ）支軸部
（１５）ピン
（１６）ロック手段
（１７）作動部材
（１７ａ）後向片
（１７ｂ）逃げ溝
（１８）ストッパ部材
（１８ａ）傾斜面
（１９）ワイヤ
（２０）操作レバー
（２１）回動ロッド
（２２）操作駒
（２３）凹部
（２４）軸孔
（２５）段付係止ピン（係止部材）
（２５ａ）小径軸
（２５ｂ）環状溝
（２６）長孔
（２７）引張りばね（付勢手段）
（２８）支持アーム
（２９）ストッパピン
（３０）ガイド孔
（３０ａ）水平長孔部
（３０ｂ）垂直長孔部
（３１）支持金具
（３２）幕板
（３３）リンク片
（３４）（３５）凹部
（３６）係合片（係合部）
【図１】
2004159706.tif 000003
【図２】
2004159706.tif 000004
【図３】
2004159706.tif 000005
【図４】
2004159706.tif 000006
【図５】
2004159706.tif 000007
【図６】
2004159706.tif 000008
【図７】
2004159706.tif 000009
【図８】
2004159706.tif 000010
【図９】
2004159706.tif 000011
【図１０】
2004159706.tif 000012